(57)【要約】【課題】    本発明は、、見栄えの良好な被貼着体を得ることができる被貼着体を提供することを目的としている。【解決手段】    被貼着体２は、被貼着体２の端部に貼着した縁材３を転写フィルム４の転写層４１で被覆した被貼着体２であって、転写層４１により縁材３及び縁材３と被貼着体２との境界を超えて覆うと共に被貼着体２に貼着されているものである。【選択図】図９
2006168158.tif 000002
【特許請求の範囲】
【請求項１】
被貼着体の端部に貼着した縁材を転写フィルムの転写層で被覆した被貼着体であって、
前記転写層により前記縁材及び前記縁材と前記被貼着体との境界を超えて覆うと共に前記被貼着体に貼着されていることを特徴とする被貼着体。
【請求項２】
被貼着体の端部に貼着した縁材を覆う縁材の被覆方法であって、
転写フィルムの転写層で前記縁材及び前記縁材と前記被貼着体との境界を超えて覆うと共に、前記転写フィルムの転写層を前記被貼着体に貼着することを特徴とする縁材の被覆方法。
【請求項３】
被貼着体の端部に貼着した縁材を覆う縁材の被覆方法であって、
被貼着体の端部に縁材を貼着し、貼着後、前記縁材及び前記被貼着体の角部の上端部と下端部を斜めにカットして、上端部角部と下端部角部とを形成し、
その後、転写フィルムの転写層で前記縁材、前記上端部角部及び前記下端部角部を覆うと共に、前記転写フィルムの転写層を前記被貼着体に貼着することを特徴とする縁材の被覆方法。
【請求項４】
被貼着体の端部に貼着した縁材を転写フィルムの転写層で被覆する被覆装置であって、
被貼着体の端部に縁材を貼着すると共に、該縁材の角部の上端部と下端部は斜めにカットされた上端部角部と下端部角部とを有した被貼着体を搬送する搬送手段と、
転写層を有する転写フィルムと、
前記搬送手段により搬送される前記被貼着体の前記端部に対向するように、前記転写フィルムを供給する転写フィルム供給手段と、
前記上端部角部に沿う傾斜部と平坦部とを備えて、前記転写フィルムを前記転写フィルム供給手段により供給される前記被貼着体の前記縁材に押し付ける第１のヒートローラと、
この第１のヒートローラの前記被貼着体の搬送流れの前又は後に位置し、前記下端部角部に沿う傾斜部と平坦部とを備えて、前記転写フィルムを前記転写フィルム供給手段により供給される前記被貼着体の前記縁材に押し付ける第２のヒートローラとを備えている
ことを特徴とする縁材の被覆装置。
【請求項５】
被貼着体の端部に貼着した縁材を転写フィルムの転写層で被覆する被覆装置であって、
端部に縁材を貼着すると共に、前記縁材及び前記被貼着体の角部の上端部と下端部を斜めにカットされた上端部角部と下端部角部とを有した被貼着体を搬送する搬送手段と、
転写層を有する転写フィルムと、
前記搬送手段により搬送される前記被貼着体の前記端部に対向するように、前記転写フィルムを供給する転写フィルム供給手段と、
前記上端部角部に沿う傾斜部と平坦部とを備えて、前記転写フィルムを前記転写フィルム供給手段により供給される前記被貼着体の前記縁材に押し付ける第１のヒートローラと、
この第１のヒートローラの前記被貼着体の搬送流れの前又は後に位置し、前記下端部角部に沿う傾斜部と平坦部とを備えて、前記転写フィルムを前記転写フィルム供給手段により供給される前記被貼着体の前記縁材に押し付ける第２のヒートローラとを備えている
ことを特徴とする縁材の被覆装置。
【請求項６】
傾斜部と平坦部とを備えて、転写フィルムを縁材に押し付ける第１のヒートローラと、
傾斜部と平坦部とを備えて、転写フィルムを縁材に押し付ける第２のヒートローラとを備え、
前記転写フィルムを前記縁材に対応させると共に、前記転写フィルムを第１のヒートローラ及び第２のヒートローラにより前記縁材に押し付け、転写フィルムの転写層で前記縁材及び前記縁材と前記被貼着体との境界を超えて覆うと共に前記被貼着体に貼着されていることを特徴とする請求項３記載の縁材の被覆方法。
【発明の詳細な説明】
【技術分野】
【０００１】
本発明は、被貼着体、縁材の被覆方法及び縁材の被覆装置に係り、特に、見栄えの良好な被貼着体を得ることができる被貼着体、縁材の被覆方法及び縁材の被覆装置に関する。
【背景技術】
【０００２】
パーティクルボード、ハードボード等の木口に接着剤を介して化粧縁材を貼着している（例えば、特許文献１参照）。
【特許文献１】特公平８−１５７２７号公報（図１）
【発明の開示】
【発明が解決しようとする課題】
【０００３】
しかしながら、従来のものにあっては、木口に接着剤を介して化粧縁材を貼着している
ため、木口と化粧縁材との間に接着剤の層が見えるため、見栄えが良好でないという問題点が生じた。
本発明は、上述した問題点を除去するようにした被貼着体、縁材の被覆方法及び縁材の被覆装置を提供するものである。
【課題を解決するための手段】
【０００４】
前記した目的を達成するための本発明の被貼着体は、被貼着体の端部に貼着した縁材を転写フィルムの転写層で被覆した被貼着体であって、前記転写層により前記縁材及び前記縁材と前記被貼着体との境界を超えて覆うと共に前記被貼着体に貼着されているものである。
【０００５】
また、請求項２記載の縁材の被覆方法は、被貼着体の端部に貼着した縁材を覆う縁材の被覆方法であって、転写フィルムの転写層で前記縁材及び前記縁材と前記被貼着体との境界を超えて覆うと共に、前記転写フィルムの転写層を前記被貼着体に貼着するものである。
【０００６】
また、請求項３記載の縁材の被覆方法は、被貼着体の端部に貼着した縁材を覆う縁材の被覆方法であって、被貼着体の端部に縁材を貼着し、貼着後、前記縁材及び前記被貼着体の角部の上端部と下端部を斜めにカットして、上端部角部と下端部角部とを形成し、その後、転写フィルムの転写層で前記縁材、前記上端部角部及び前記下端部角部を覆うと共に、前記転写フィルムの転写層を前記被貼着体に貼着するものである。
【０００７】
また、請求項４記載の縁材の被覆装置は、被貼着体の端部に貼着した縁材を転写フィルムの転写層で被覆する被覆装置であって、被貼着体の端部に縁材を貼着すると共に、該縁材の角部の上端部と下端部は斜めにカットされた上端部角部と下端部角部とを有した被貼着体を搬送する搬送手段と、転写層を有する転写フィルムと、前記搬送手段により搬送される前記被貼着体の前記端部に対向するように、前記転写フィルムを供給する転写フィルム供給手段と、前記上端部角部に沿う傾斜部と平坦部とを備えて、前記転写フィルムを前記転写フィルム供給手段により供給される前記被貼着体の前記縁材に押し付ける第１のヒートローラと、この第１のヒートローラの前記被貼着体の搬送流れの前又は後に位置し、前記下端部角部に沿う傾斜部と平坦部とを備えて、前記転写フィルムを前記転写フィルム供給手段により供給される前記被貼着体の前記縁材に押し付ける第２のヒートローラとを備えているものである。
【０００８】
また、請求項５記載の縁材の被覆装置は、被貼着体の端部に貼着した縁材を転写フィルムの転写層で被覆する被覆装置であって、端部に縁材を貼着すると共に、前記縁材及び前記被貼着体の角部の上端部と下端部を斜めにカットされた上端部角部と下端部角部とを有した被貼着体を搬送する搬送手段と、転写層を有する転写フィルムと、前記搬送手段により搬送される前記被貼着体の前記端部に対向するように、前記転写フィルムを供給する転写フィルム供給手段と、前記上端部角部に沿う傾斜部と平坦部とを備えて、前記転写フィルムを前記転写フィルム供給手段により供給される前記被貼着体の前記縁材に押し付ける第１のヒートローラと、この第１のヒートローラの前記被貼着体の搬送流れの前又は後に位置し、前記下端部角部に沿う傾斜部と平坦部とを備えて、前記転写フィルムを前記転写フィルム供給手段により供給される前記被貼着体の前記縁材に押し付ける第２のヒートローラとを備えているものである。
【０００９】
また、請求項６記載の縁材の被覆方法は、請求項３記載の縁材の被覆方法において、傾斜部と平坦部とを備えて、転写フィルムを縁材に押し付ける第１のヒートローラと、傾斜部と平坦部とを備えて、転写フィルムを縁材に押し付ける第２のヒートローラとを備え、前記転写フィルムを前記縁材に対応させると共に、前記転写フィルムを第１のヒートローラ及び第２のヒートローラにより前記縁材に押し付け、転写フィルムの転写層で前記縁材及び前記縁材と前記被貼着体との境界を超えて覆うと共に前記被貼着体に貼着されているものである。
【発明の効果】
【００１０】
請求項１記載の被貼着体によれば、転写フィルムの転写層で縁材及び縁材と被貼着体との境界を超えて覆うと共に被貼着体に貼着されているため、縁材と被貼着体との境界をも被覆でき、見栄えの良好な被貼着体を得ることができる。
【００１１】
また、請求項４記載の縁材の被覆装置によれば、第１のヒートローラの傾斜部と平坦部及び第２のヒートローラの傾斜部と平坦部により、転写フィルムを縁材に押し付け、転写フィルムの転写層で縁材及び縁材と被貼着体との境界を超えて覆うと共に転写フィルムの転写層を被貼着体に貼着することができ、見栄えの良好な被貼着体を得ることができる。
【００１２】
また、請求項５記載の縁材の被覆装置によれば、第１のヒートローラの傾斜部と平坦部及び第２のヒートローラの傾斜部と平坦部により、転写フィルムを縁材に押し付け、転写フィルムの転写層で縁材及び縁材と被貼着体との境界を超えて覆うと共に転写フィルムの転写層を被貼着体に貼着することができ、見栄えの良好な被貼着体を得ることができる。
【実施例】
【００１３】
本発明の一実施例の被貼着体、縁材の被覆方法及び縁材の被覆装置を図面を参照して説明する。
図１乃至図９において、１は、被貼着体２の端部に貼着した縁材３を転写フィルム４の転写層４１で被覆する被覆装置である。
この被覆装置１の前の工程において、図示しない縁貼機により被貼着体２の端部に縁材３を貼着する［図９（ａ）］と共に、被貼着体２及び縁材３の角部２ａ、２ｂ、３ａ、３ｂがカット（トリミング）［図９（ｂ）］されている。
そして、被覆装置１において、被貼着体２は、図９（ｃ）に示すように、転写層４１により縁材３及び縁材３と被貼着体２との境界（縁材３と被貼着体２との接着剤５）を超えて覆うと共に、転写層４１は接着剤４２により被貼着体２に貼着されるものである。
【００１４】
被貼着体２は、例えば、パーティクルボード、ハードボード等であり、縁材３は、例えば、塩化ビニル樹脂製、ＡＢＳ樹脂製、ポリウレタン樹脂製等で、上面が滑らかな平坦面を有するものであり、転写フィルム４は、例えば、図７に示すように、ベースフィルム４０の上に模様、単一色等の転写層４１、転写層４１の上に接着剤（例えば、ホットメルト）４２の構成となっている。
【００１５】
６は被貼着体２を搬送する搬送手段で、搬送手段６は、例えば、キャタピラコンベア６１、このキャタピラコンベア６１の上に被貼着体２に当接するローラ６２が位置して構成される（図３参照）。搬送手段６で搬送される被貼着体２は、上述したように、被貼着体２の端部に縁材３を貼着すると共に、縁材３及び被貼着体２の角部の上端部と下端部を斜めにカット（トリミング）された上端部角部２ａ、３ａと下端部角部２ｂ、３ｂとを有している。
なお、図９（ｂ）に示す上端部角部２ａ、３ａ、下端部角部２ｂ、３ｂは、直線状にカットされているが、場合により丸味を帯びてカットするようにしても良い。
【００１６】
７は、搬送手段６により搬送される被貼着体２の端部に対向するように、転写フィルム４を供給する転写フィルム供給手段である（図２参照）。転写フィルム供給手段７は、例えば、送り側従動部７１と、送り側従動部７１から送られてくる転写層４１、接着剤４２が離脱したベースフィルム４０を巻き取る巻き取り駆動部７２と、中途にガイドローラ７３とを有している。
【００１７】
８は、上端部角部に沿う傾斜部８１と平坦部８２とを備えて、転写フィルム４を転写フィルム供給手段７により供給される被貼着体２の縁材３に押し付ける第１のヒートローラで、第１のヒートローラ８は、例えば、ヒータを内蔵し、加熱（例えば、約１８０℃）されている（図４及び図５参照）。
９は、第１のヒートローラ８の被貼着体２の搬送流れの後（又は前）に位置し、下端部角部に沿う傾斜部９１と平坦部９２とを備えて、転写フィルム４を転写フィルム供給手段７により供給される被貼着体２の縁材３に押し付ける第２のヒートローラで、第２のヒートローラ９は、例えば、ヒータを内蔵し、加熱（例えば、約１８０℃）されている（図４及び図６参照）。
【００１８】
従って、この被覆装置１によれば、第１のヒートローラ８の傾斜部８１と平坦部８２（図５参照）及び第２のヒートローラ９の傾斜部９１と平坦部９２（図６参照）により、転写フィルム４を縁材３に押し付け、第１のヒートローラ８及び第２のヒートローラ９の熱により、転写フィルム４の転写層４１で縁材３及び縁材３と被貼着体２との境界（縁材３と被貼着体２との接着剤５）を超えて覆うと共に転写フィルム４の転写層４１を被貼着体２に貼着することができ、見栄えの良好な被貼着体２を得ることができる。
【００１９】
なお、上述の実施例においては、被覆装置１の前の工程において、図示しない縁貼機により被貼着体２の端部に縁材３を貼着する［図９（ａ）］と共に、被貼着体２及び縁材３の角部２ａ、２ｂ、３ａ、３ｂがカット（トリミング）［図９（ｂ）］されているが、本発明はこれに限らず、例えば、図１０（ｂ）に示すように、被貼着体２の端部の角部はカットせず、縁材３の角部の上端部と下端部は斜めにカット（トリミング）された上端部角部３ａ’と下端部角部３ｂ’とを形成し、上述と同様に、第１のヒートローラ８の傾斜部８１と平坦部８２及び第２のヒートローラ９の傾斜部９１と平坦部９２により、転写フィルム４を縁材３に押し付け、第１のヒートローラ８及び第２のヒートローラ９の熱により、転写フィルム４の転写層４１で縁材３及び縁材３と被貼着体２との境界（縁材３と被貼着体２との接着剤５）を超えて覆うと共に転写フィルム４の転写層４１を被貼着体２に貼着することができ、見栄えの良好な被貼着体２を得ることができる［図１０（ｃ）］。    なお、図１０（ｂ）に示す上端部角部３ａ’下端部角部３ｂ’は、直線状にカットされているが、場合により丸味を帯びてカットするようにしても良い。
【図面の簡単な説明】
【００２０】
【図１】図１は、本発明の一実施例の縁材の被覆装置の概略的正面図である。
【図２】図２は、図１の２−２線による概略的断面図である。
【図３】図３は、図３の３−３線による概略的断面図である。
【図４】図４は、図２の一部を拡大して示す概略的拡大断面図である。
【図５】図５は、図４の５−５線による概略的断面図である。
【図６】図６は、図４の６−６線による概略的断面図である。
【図７】図７は、図１の転写フィルムの概略的断面図である。
【図８】図８は、図１の被貼着体の概略的斜視図である。
【図９】図９は、被貼着体の縁材が被覆される状態の概略的断面図で、（ａ）は被貼着体及び縁材の角部がカットされる前の状態を、（ｂ）は被貼着体及び縁材の角部がカットされた状態を、（ｃ）はカットされた被貼着体及び縁材の角部を転写フィルムの転写層で覆った状態をそれぞれ示している。
【図１０】図１０は、図９の他の実施例の被貼着体の縁材が被覆される状態の概略的断面図で、（ａ）は被貼着体の角部がカットされる前の状態を、（ｂ）は被貼着体の角部がカットされた状態を、（ｃ）はカットされた被貼着体の角部を転写フィルムの転写層で覆った状態をそれぞれ示している。
【符号の説明】
【００２１】
２  ・・・・・被貼着体
３  ・・・・・縁材
４  ・・・・・転写フィルム
４１・・・・・転写層
【図１】
2006168158.tif 000003
【図２】
2006168158.tif 000004
【図３】
2006168158.tif 000005
【図４】
2006168158.tif 000006
【図５】
2006168158.tif 000007
【図６】
2006168158.tif 000008
【図７】
2006168158.tif 000009
【図８】
2006168158.tif 000010
【図９】
2006168158.tif 000011
【図１０】
2006168158.tif 000012